(57)【要約】【課題】足によりフィットする踵部分の構造を備えた靴下を実現する。【解決手段】筒状に編み立てる脚部２に続けて、目数増減領域と短い筒編み領域を繰り返して複数配置することによって、きっちりと足にフィットする踵部を形成することができる。脚部に続く目数増減領域10はアキレス腱覆い部とし、アキレス腱覆い部に続く短い筒編み領域を踵上部筒編み領域11とし、踵上部筒編み領域に続く目数増減領域12を踵後方覆い部、続く短い筒編み領域を踵下部筒編み領域13、踵下部筒編み領域に続く目数増減領域を踵前方ゆとり部14とする。目数増減領域や短い筒編み領域は、目的に合った編み方とすることによって機能を向上し、筒編み領域には模様を編み込むことができる。【選択図】  図１
2010242262.tif 000002
【特許請求の範囲】
【請求項１】
筒状に編み立てる脚部に続けて、目数増減領域と短い筒編み領域を繰り返して複数配置することによって踵部を形成し、該短い筒編み領域に続けて配置した目数増減領域に続けて足部を形成したことを特徴とする靴下。
【請求項２】
筒状に編み立てる脚部に続く目数増減領域はアキレス腱覆い部とし、アキレス腱覆い部に続く短い筒編み領域を踵上部筒編み領域とし、該踵上部筒編み領域に続く目数増減領域を踵後方覆い部とし、該踵後方覆い部に続く短い筒編み領域を踵下部筒編み領域とし、該踵下部筒編み領域に続く目数増減領域を踵前方ゆとり部としたことを特徴とする請求項１記載の靴下。
【請求項３】
筒状に編み立てる脚部に続く目数増減領域はアキレス腱覆い部とし、アキレス腱覆い部に続く短い筒編み領域を踵上部筒編み領域とし、該踵上部筒編み領域に続く目数増減領域を踵上後方覆い部とし、該踵上後方覆い部に続く短い筒編み領域を踵中央筒編み領域、該踵中央筒編み領域に続く目数増減領域は踵下後方覆い部とし、該踵下後方覆い部に続く短い筒編み領域を踵下部筒編み領域とし、該踵下部筒編み領域に続く目数増減領域を踵前方ゆとり部としたことを特徴とする請求項１記載の靴下。
【請求項４】
踵上部筒編み領域と踵下部筒編み領域に伸縮性を持たせ、踵後方覆い部の上下2箇所を締め付けることを特徴とする請求項２又は３記載の靴下。
【発明の詳細な説明】
【技術分野】
【０００１】
この発明は、筒状に編み立てる脚部に続けて脚部の後半部に編目減少領域及び編み目増加領域を配置することによって踵部分を形成する靴下の構造に関する発明である。
【背景技術】
【０００２】
図６に示すように、従来の靴下１の一般的な構造は、筒状に編み立てる脚部２の下端後半部に目数減少領域６と、目数増加領域７を配置することによって膨らみ形状である踵部４を形成し、踵部４を形成した上で筒状の足部３を編み立て、先端に爪先部５を形成している。爪先部５には、足底部先端に形成する目数減少領域及び目数増加領域のゴアライン８と開口部を閉じる縫着線９が現れる。
【先行技術文献】
【特許文献】
【０００３】
【特許文献１】特許第４１８２０２５号公報
【発明の概要】
【発明が解決しようとする課題】
【０００４】
従来の一般的な靴下の踵構造では、必ずしも踵部分の形状に一致する構造の靴下を得ることができなかった。特許文献１に記載された発明では、踵部分に短筒編み領域を配置することによって、踵部分に装飾的な編み込みを可能とするとともに、従来の靴下に比較して、足にフィットする履き心地の良い靴下を実現することができた。
【０００５】
しかしながら、必ずしも十分に足の形にフィットするものでないとともに、例えば足部に締め付け領域が設けられる場合などでは、靴下が先方に位置ズレすることを有効に防止することができなかった。このような、従来技術の欠点に鑑み、より一層踵にフィットするとともに、着用中に位置ズレを生じにくい靴下の踵部分の構造を実現することを目的とするものである。また、特許文献１に開示された靴下の装飾機能をより発展させるとともに、より機能的な靴下を実現することを目的とするものである。
【課題を解決するための手段】
【０００６】
請求項１記載の発明は、筒状に編み立てる脚部２に続けて、目数増減領域と短い筒編み領域を繰り返して複数配置することによって踵部を形成することである。そして、短い筒編み領域に続けて配置した目数増減領域に続けて足部３を形成する。
このとき、筒状に編み立てる脚部２に続く目数増減領域10はアキレス腱覆い部とし、このアキレス腱覆い部に続く短い筒編み領域を踵上部筒編み領域11とし、踵上部筒編み領域11に続く目数増減領域12を踵後方覆い部とし、踵後方覆い部に続く短い筒編み領域を踵下部筒編み領域13とし、踵下部筒編み領域13に続く目数増減領域14を踵前方ゆとり部とすることができる。
【０００７】
上記、踵上部筒編み領域11と、踵下部筒編み領域13の間に踵中央筒編み領域15を追加することもできる。すなわち、筒状に編み立てる脚部２に続く目数増減領域10はアキレス腱覆い部とし、アキレス腱覆い部に続く短い筒編み領域を踵上部筒編み領域11とし、踵上部筒編み領域11に続く目数増減領域を踵上後方覆い部12Aとし、踵上後方覆い部12Aに続けて、踵中央筒編み領域15を設ける。踵中央筒編み領域15に続く目数増減領域は踵下後方覆い部12Bとし、踵下後方覆い部12Bに続く短い筒編み領域を踵下部筒編み領域13とする。さらに、踵下部筒編み領域13に続く目数増減領域14を踵前方ゆとり部とする。
上記、踵上部筒編み領域11と踵下部筒編み領域13は、伸縮性の糸を挿入するなどして伸縮性を持たせることによって、踵後方覆い部の上下2箇所を締め付けるようにすることができる。
【発明の効果】
【０００８】
請求項１記載の発明によれば、筒状に編み立てる脚部２に続けて、目数増減領域と短い筒編み領域を繰り返して複数配置することによって踵部を形成するため、短い筒編み領域を設けない従来の靴下や、短い筒編み領域を一つ設ける特許文献１に記載された従来の靴下に比較し、足の踵部分の形状に近い形状の踵部分を備えた靴下を実現することができ、より履き心地のよい靴下を実現することができる。また、模様などを編み込む際に、複数の短い筒編み領域が存在するため、バリエーションにとんだ模様を実現することができる。
【０００９】
請求項２及び３記載の発明によれば、踵上部筒編み領域11と踵下部筒編み領域13の二つの短い筒編み領域によって踵の位置決めを明確にし、脚部２に続く目数増減領域10をアキレス腱覆い部とし、例えばパイル編みとすることによってアキレス腱を保護し、前方の目数増減領域14を踵前方ゆとり部とすることによって、靴下が前方へ移動しようとする動きを弱める効果がある。
【００１０】
請求項４記載の発明によれば、踵上部筒編み領域11と踵下部筒編み領域13に伸縮性の糸を挿入することによって、踵後方覆い部12(12A,12B)の上下2箇所を筒編みの領域によって締め付け、この締め付ける力によって踵後方覆い部で踵を覆い、かつ抱持させる効果がある。
【図面の簡単な説明】
【００１１】
【図１】図１は、本発明の第一の実施形態を示す正面図、
【図２】図２は、図１に示す実施形態の踵部分の展開図、
【図３】図３は、本発明の第二の実施形態を示す正面図、
【図４】図４は、図３に示す実施形態の踵部分の展開図、
【図５】図５は、図1に示す実施形態の変形実施例を示す踵部分の展開図、
【図６】図６は従来の靴下の一例を示す正面図である。
【発明を実施するための形態】
【００１２】
以下、本発明に係る靴下の好ましい実施形態を添付の図面に基づいて説明する。
本発明を実施するに際し、踵部分における目数増減領域と短い筒編み領域は任意複数回繰り返して踵部分の形状を形成するものである。図１に示す実施形態は、短い筒編み領域を二つ形成する状態を示している。
【００１３】
図１に示す靴下１は、上端に履き口16を形成して筒状に編み立てる脚部２に続けて、後半部に目数増減領域10を形成し、この目数増減領域10に続けて踵上部筒編み領域11を編み立て、目数増減領域12によって踵の覆い部分を形成し、目数増減領域12に続けて踵下部筒編み領域13を形成している。そして、踵下部筒編み領域13に続けて目数増減領域14を設けることによって足部の方向性などを設定し、続けて筒状の足部を編み立てている。
【００１４】
図１に示す実施形態の靴下を編み立てるには、履き口16から針釜を一定方向に回転させ、全ての編み針を編み立てに関与させることによって筒編み領域である脚部２を編み立てる。一定寸法の脚部を編みたて、脚部２の下端に達した段階で、針釜の回転運動を往復回動運動に変更する。例えば針釜の回動角度を、略１８０度から９０度程度の範囲で順次減少させ、その範囲の編み針が編み立てに関与する状態で目数増減領域10を編み立てる。図２から理解されるように、図示例の目数増減領域10は目数を減少させている。
【００１５】
目数増減領域10に続けて、１センチメートル程度の間針釜を一定方向に回転さ、全ての編み針を編み立てに関与させることによって踵上部筒編み領域11を編み立てる。踵上部筒編み領域11の編み立てが完了した段階で、針釜の回転運動を往復回動運動に変更して目数増減領域12を編み立て、目数増減領域12に続けて踵下部筒編み領域13を編み立てる。目数増減領域12は、目数の増加と減少を複数回繰り返して踵形状に合った形状を実現している。もっとも、この目数増減領域の目数変更は、図５(ａ)や図５(ｂ)に示す変更例のように適宜変更可能である。すなわち、図５(ａ)に示す実施形態は、踵部分を一回の目数減少領域12aと一回の目数増加領域12bで形成しているが、図５(ｂ)に示す実施形態では、目数増加領域12aと目数減少領域12bを三回繰り返して踵の目数増減領域12を形成している。
踵下部筒編み領域13に続けて目数増減領域14、図示例では目数増加領域を配置し、これに続けて針釜を一定方向に回転させ、全ての編み針を編み立てに関与させることによって足部３を編み立てる。
【００１６】
図３に示す実施形態は、踵部分に短い筒編み領域を三つ形成する実施形態である。すなわち、履き口16から針釜を一定方向に回転させ、全ての編み針を編み立てに関与させることによって筒編み領域である脚部２を編み立てる。一定寸法の脚部を編みたて、脚部２の下端に達した段階で、針釜の回転運動を往復回動運動に変更して目数増減領域10を編み立てる。目数増減領域10に続けて踵上部筒編み領域11を編み立て、踵上部筒編み領域11を編み立てた後に目数増減領域として踵上後方覆い部12Aを編み立てる。踵上後方覆い部12Aに続けて短筒状である踵中央筒編み領域15を配置し、さらに踵下後方覆い部12Bと、踵下部筒編み領域13及び目数増減領域14を配置する。すなわち、図１に示す実施形態の踵上部筒編み領域11と踵下部筒編み領域13の間に踵中央筒編み領域15を配置し、踵を覆う目数増減領域12を踵上後方覆い部12Aと、踵下後方覆い部12Bに分けた状態である。
【００１７】
筒状に編み立てる脚部２に続けて後半部に形成する目数増減領域１０は、アキレス腱部分に相当する。したがって、この目数増減領域１０をアキレス腱覆い部とする。アキレス腱覆い部は、例えば柔軟なパイル編みとしてアキレス腱を保護することができる構造とする。目数増減領域10をアキレス腱覆い部とするほか、踵の後方部分を覆う目数増減領域12や踵下部筒編み領域13に続く目数増減領域も、柔軟なパイル編みとし、より履き心地の良い靴下を実現することができ。また、スポーツなどの用途(要求される機能)によって、筒編み領域を脚部や足部の編み方と相違する編地、例えばメッシュ編みとすることもできる。
【００１８】
目数増減領域においては、柄を編み込むことが困難であるが、筒編み領域においては柄を編み込むことが可能である。したがって、特許文献１に記載された発明によって、従来模様を編み込むことが困難であった踵部分に、具体的には短い筒編み領域に模様を編み込むことが可能となったものであるが、本発明では、短い筒編み領域が複数形成されることから、より複雑な柄19を編み込むことが可能となる。
【００１９】
目数増減領域10、12、14などの編み方、例えばパイル編みとすることによって、アキレス腱保護などの機能を発揮できる。同じように、短い筒編み領域11、13、15も用途に合った編み方をすることができる。例えば、周方向に伸縮性を持たせることによって、締め付け効果を発揮することができる。特に、踵上部筒編み領域11と踵下部筒編み領域13を伸縮性の糸を挿入することによって締め付け効果を発揮することができる。踵上部筒編み領域11と踵下部筒編み領域13に締め付け機能を付加することによって、目数増減領域12で踵部分を覆った状態を維持し、踵部分の目数増減領域12が踵から移動するのを効果的に防止し、靴下全体が足によりフィットする状態を実現することができる。この効果は、動きの激しいスポーツ用ソックスなどにおいて有効である。
このように、踵部分で靴下をしっかりと安定させると、足部に締め付け部分を配置するもの(例えば土踏まずを締め付ける健康ソックス)であっても靴下のズレをなるべく防止することができる。
【００２０】
目数増減領域10、12、14は、目数増加領域と目数減少領域の配置が特定される必要はなく、目数の増加もしくは減少によって、足にフィットする形状を実現すればよい。例えば、図４に示す目数増減領域である踵上後方覆い部12Aと踵下後方覆い部12Bはいずれも目数増加領域12aと、これに続く目数減少領域12bで形成している。
また、図示実施形態の踵部分の目数増減領域は、中心位置において左右対称の状態で規則的に増減させるように図示している(図２、図４、図５)が、目数増減領域を左右に移動させ、あるいは目数増減領域の形状そのものを左右非対称とすることによって、例えば右足用と左足用を区別し、より一層足の形に近い履き心地に優れた靴下を実現することが可能である。
【符号の説明】
【００２１】
１…靴下、  ２…脚部、  ３・・・足部、  ４・・・踵部、  ５・・・爪先部、  ６・・・目数減少領域、  ７・・・目数増加領域、  ８…ゴアライン、  ９・・・縫着線、  10・・・目数増減領域、  11・・・踵上部筒編み領域、  12・・・目数増減領域、  13…踵下部筒編み領域、  14・・・目数増減領域、  15…踵中央筒編み領域、  16・・・履き口、  12A…踵上後方覆い部、12B・・・踵下後方覆い部。
【図１】
2010242262.tif 000003
【図２】
2010242262.tif 000004
【図３】
2010242262.tif 000005
【図４】
2010242262.tif 000006
【図５】
2010242262.tif 000007
【図６】
2010242262.tif 000008